(57)【特許請求の範囲】
【請求項１】
周囲に複数の歯を有し、各歯の先端が被記録材の記録面に点接触するように鋭角的に尖っている歯付きローラが、歯付きローラホルダに回転可能に軸支され、複数の前記歯付きローラホルダが取り付けられた歯付きローラ取付装置を有する記録装置における、前記歯付きローラ取付装置は、
前記歯付きローラホルダが、前記歯付きローラの歯に容易に触れることが出来ない防護部を備えており、
前記防護部は、前記歯付きローラ取付装置から露出した前記歯付きローラの回転軸と垂直な前記歯付きローラホルダの内壁面を、前記歯付きローラの両側に接近させて設けた構造を有するものであり、
前記内壁面には、段部が設けられており、前記歯付きローラホルダが上下に揺動可能に取り付けられた構造によって生じる横方向のガタツキにより、被記録材の搬送方向に対して僅かに傾いた状態において、前記歯付きローラを被記録材の搬送方向に対して平行に位置させることを許容する逃げ部として前記段部により広がったスペースを有する、ことを特徴とした歯付きローラ取付装置。
【請求項２】
請求項１において、前記歯付きローラホルダは、前記歯付きローラ取付装置に対して、上下に揺動可能に取り付けられている、ことを特徴とした歯付きローラ取付装置。
【請求項３】
主走査方向に往復動する記録ヘッドと、被記録材を副走査方向に搬送する被記録材搬送手段とを有し、前記記録ヘッドからインクを被記録材に吐出して記録を行う記録装置であって、
前記記録装置は、請求項１または２に記載の歯付きローラ取付装置を備える、ことを特徴とした記録装置。
【発明の詳細な説明】
【０００１】
【発明の属する技術分野】
周囲に複数の歯を有し、各歯の先端が被記録材の記録面に点接触するように鋭角的に尖っている歯付きローラを備えた記録装置に関する。
【０００２】
【従来の技術】
主走査方向に往復動する記録ヘッドと、被記録材を副走査方向に搬送する被記録材搬送手段とを有し、記録ヘッドからインクを被記録材に吐出して記録を行うインクジェット式記録装置等の記録装置は、記録後の被記録材を排出する手段として、駆動源により回転駆動され、被記録材の下面に接して被記録材を排出する排出駆動ローラと、その排出駆動ローラ側に向けて個々に付勢され、被記録材の上面に接して、被記録材の排出に従動して回転する複数の排出従動ローラを備えている。
【０００３】
この排出従動ローラは、周囲に複数の歯を有し、各歯の先端が被記録材の記録面に点接触するように鋭角的に尖っている歯付きローラになっている。このような歯付きローラは、記録面に対して面ではなく点で接触するので、記録面に対して接触する面積を小さくすることができる。従って記録後の被記録材の記録面に排出従動ローラが接して、記録面を汚したり、傷つける虞が少ないというメリットがある。
【０００４】
【発明が解決しようとする課題】
このような歯付きローラは、鋭角的に尖った歯を有しているので、例えば、記録作業中に歯付きローラに誤って人の指等が触れたりすると、指を傷つける虞がある。特に、被記録材への記録を終え、一気に被記録材を排出する際には、歯付きローラは高速で回転するため、その虞が大である。そのため、従来技術において歯付きローラは、記録装置側の構造により人の手に触れにくい位置に配置され、歯付きローラから人の指等を防護していた。
【０００５】
しかしながら、この歯付きローラが個々に歯付きローラホルダに回転可能に軸支され、複数の歯付きローラホルダにより排出従動ローラが構成されている記録装置においては、記録装置側の構造だけでは、歯付きローラから人の指等を防護しきれなかった。
また、併せて以下のような問題も存在していた。即ち、被記録材の搬送中に、歯付きローラは紙面と垂直に当接した状態から、左右にわずかに傾斜した状態に傾くことがある。この垂直方向の角度の変化（傾斜）を解消しようとして、歯付きローラは、回転しながら歯付きローラホルダ内での向きを搬送方向と平行状態から、搬送方向に対しやや斜めに角度を持った状態へ変化させていく。一方、歯付きローラホルダは、本来歯付きローラの回転方向を規制する役割を担うが、歯付きローラホルダが上下方向に揺動可能に構成されていると、歯付きローラホルダを支持するホルダとの間の若干のガタ（遊び）によって歯付きローラホルダは若干左右にも揺動する余地がある。このため、上記歯付きローラの方向変化に伴い、搬送方向に対し左右に若干揺動の余地を持つ歯付きローラホルダも、歯付きローラに内側から押されるようにして揺動分だけ斜め方向に傾いていき、傾き限界で停止した状態になる。ここで、歯付きローラは回転しながら自然に正常方向へ復帰しようとする性質を持つが、歯付きローラホルダは依然として斜めに傾いた状態にあるため、歯付きローラホルダの内壁が障害になり正常方向への復帰が妨げられる。この状態のままで被記録材の搬送を続けると、歯付きローラは円滑に回転できないため、歯付きローラ周囲の歯により、被記録材の表面（印刷面）に微細な凹みや傷を付け、剥れやホジレの原因となり、印刷品質の低下を招くことになる。
【０００６】
本願発明の課題は、歯付きローラから人の指等を防護する構造を有する歯付きローラホルダを備えた歯付きローラ取付装置により、歯付きローラホルダに軸支された歯付きローラに誤って人の指等が触れて傷つけてしまうことを防止し、更には被記録材表面の傷や、剥れ、ホジレが生じないように排紙従動ローラの歯が被記録材表面に対して正常な状態で当接するような機構を提供することにある。
【０００７】
【課題を解決するための手段】
上記課題を達成するため、本発明は、周囲に複数の歯を有し、各歯の先端が被記録材の記録面に点接触するように鋭角的に尖っている歯付きローラが、歯付きローラホルダに回転可能に軸支され、複数の前記歯付きローラホルダが取り付けられた歯付きローラ取付装置を有する記録装置における、前記歯付きローラ取付装置は、前記歯付きローラホルダが、前記歯付きローラの歯に容易に触れることが出来ない防護部を備える、ことを特徴とした歯付きローラ取付装置である。
【０００８】
このように、歯付きローラの歯に容易に触れることが出来ないような構造を有する防護部を歯付きローラホルダに設けることで、誤って歯付きローラに人の指等が触れてしまうことがない。これにより、前記歯付きローラ取付装置によれば、歯付きローラに誤って人の指等が触れて傷つけてしまうことを防止できるという作用効果が得られる。
【０００９】
また、前記歯付きローラホルダは、前記歯付きローラ取付装置に対して、上下に揺動可能に取り付けられている、ことを特徴とする。
【００１０】
このように、歯付きローラホルダが上下に揺動可能に取り付けられた歯付きローラ取付装置においては、上下に揺動する歯付きローラホルダに防護部を設けることで、歯付きローラホルダが揺動可能範囲のどの位置にあっても、前記歯付きローラ取付装置の作用効果が得られる。
【００１１】
前記歯付きローラホルダの内壁面には、段部が設けられており、前記歯付きローラホルダが上下に揺動可能に取り付けられた構造によって生じる横方向のガタツキにより、被記録材の搬送方向に対して僅かに傾いた状態において、前記歯付きローラを被記録材の搬送方向に対して平行に位置させることを許容する逃げ部として前記段部により広がったスペースを有する、ことを特徴とする。
【００１２】
ここで、歯付きローラホルダが「僅かに傾いた状態」とは、歯付きローラホルダを上下に揺動可能な可動構造にしたことに伴って歯付きローラホルダの支持部に生じる若干のガタに対応して、そのガタ分だけ左右に傾くことを意味する。そして、「逃げ部」とは、前記斜め方向になった歯付きローラが、同様に前記僅かに傾いた状態により斜めになった歯付きローラホルダ内で歯付きローラホルダの内壁に妨害されずに平行状態に復帰するために十分な範囲で拡大された歯付きローラホルダ内の空間を意味する。
【００１３】
このように、歯付きローラホルダが上下に揺動可能に取り付けられた歯付きローラ取付装置において、前記歯付きローラホルダの内壁面に逃げ部として前記段部により広がったスペースを形成することによって、歯付きローラホルダが被記録材の搬送方向に対して傾いた状態でも排出駆動ローラの平行状態への復帰が妨げられることがなくなり、コーティング紙等への記録においてもコーティング層の剥れやホジレを回避することが可能になる。
【００１４】
前記防護部は、前記歯付きローラ取付装置から露出した前記歯付きローラの回転軸と垂直な面を有する壁を、前記歯付きローラの両側に設けた構造を有する、ことを特徴とする。
【００１５】
このように、露出した前記歯付きローラの両側に壁を設け、壁に挟まれた歯付きローラの歯に容易に触れることが出来なくすることで、前記歯付きローラ取付装置の作用効果が得られる。
【００１６】
前記防護部は、前記歯付きローラ取付装置から露出した前記歯付きローラを覆い囲う構造を有する、ことを特徴とする。
【００１７】
このように、防護部を露出した前記歯付きローラを覆い囲う構造とし、歯付きローラの歯に触れることが出来なくすることで、前記歯付きローラ取付装置の作用効果が得られる。
【００１８】
また、主走査方向に往復動する記録ヘッドと、被記録材を副走査方向に搬送する被記録材搬送手段とを有し、前記記録ヘッドからインクを被記録材に吐出して記録を行う記録装置であって、前記記録装置は、前記歯付きローラ取付装置を備える、ことを特徴とした記録装置である。
【００１９】
この記録装置によると、記録装置において、前述した発明による作用効果を得ることができる。
【００２０】
【発明の実施の形態】
以下、本願発明の実施の形態を図面に基づいて説明する。
【００２１】
図１は、本願発明に係る歯付きローラ取付装置を備えたインクジェット式の記録装置の概略の平面図であり、図２はその概略の側面図である。
【００２２】
記録装置５０には、キャリッジガイド軸５１に軸支され、主走査方向Ｘに移動するキャリッジ６１、およびプラテン５２が設けられている。キャリッジ６１には、被記録材１にインクを吐出して記録を行う記録ヘッド６２が搭載され、キャリッジ６１を主走査方向Ｘに搬送し、キャリッジ６１とプラテン５２の間に被記録材１を副走査方向Ｙに搬送しながら、記録ヘッド６２が被記録材１にインクを吐出することで被記録材１に記録が行われる。
【００２３】
また、被記録材給送トレイ２１から給送された被記録材１を副走査方向Ｙに搬送する被記録材搬送手段として、搬送駆動ローラ５３と搬送従動ローラ５４が設けられている。搬送駆動ローラ５３は、ステッピングモータ等の回転駆動力により回転制御され、搬送駆動ローラ５３の回転により、被記録材１は副走査方向Ｙに搬送される。搬送従動ローラ５４は複数設けられており、それぞれ個々に搬送駆動ローラ５３に付勢され、被記録材１が搬送駆動ローラ５３の回転により搬送される際に、被記録材１に接して被記録材１の搬送に従動して回転する。
【００２４】
一方、記録された被記録材１を排出する手段として、排出駆動ローラ５５と歯付きローラ３１が設けられている。排出駆動ローラ５５は、ステッピングモータ等の回転駆動力により回転制御され、排出駆動ローラ５５の回転により、被記録材１は副走査方向Ｙに排出される。歯付きローラ３１は、複数設けられ、先端が被記録材１の記録面に点接触するように鋭角的に尖っている複数の歯を周囲に有し、それぞれ個々に排出駆動ローラ５５に搬送従動ローラ５４の付勢力よりも弱い付勢力で付勢され、被記録材１が排出駆動ローラ５５の回転により排出される際に、被記録材１に接して被記録材１の排出に従動して回転する。
【００２５】
そして、記録装置５０には、複数の歯付きローラ３１を有する歯付きローラ取付装置３３が設けられている。
【００２６】
図３は、当該実施の形態における歯付きローラ取付装置３３の平面図である。
【００２７】
歯付きローラ３１は、歯付きローラホルダ３２に棒バネから成る歯付きローラ取付軸３４にて回転可能に軸支されて取り付けられている。複数の歯付きローラホルダ３２は、ホルダ取付軸３５を支点として棒バネ３７により排出駆動ローラ５５側に向けて付勢された状態で、歯付きローラ３１側が個々に上下に揺動可能な状態で、歯付きローラ取付装置３３に取り付けられている。歯付きローラ取付軸３４も棒バネが使用され、この棒バネの調芯作用により歯付きローラ３１の回転軸は、副走査方向Ｙに対して垂直に保たれるような力が作用する。そして、歯付きローラホルダ３２は、歯付きローラ３１の回転軸と垂直な面を有する壁を、歯付きローラ３１の両側に接近させて設けた構造を有する防護部３６を備えている。
【００２８】
図４は、当該実施の形態における歯付きローラ取付装置３３の図３におけるIV−IV線断面図（図３に示されてない排出フレームを加えてある）であり、図４（ａ）は、歯付きローラホルダ３２が上下の揺動範囲の下端に位置し、排出駆動ローラ５５に付勢された状態を示している。図４（ａ）に示すように、防護部３６は、歯付きローラ３１の歯が隠れるような凸曲面形状を有している。当該防護部３６の凸曲面形状と、歯付きローラ３１への前記接近構造により、歯付きローラ３１の歯に容易に触れることが出来ず、歯付きローラ３１から人の指等を防護することが可能となる。
【００２９】
図４（ｂ）は、歯付きローラホルダ３２が上下の揺動範囲の上端に位置し、排出駆動ローラ５５に付勢されていない状態を示している。図４（ａ）と図４（ｂ）との切換は、カム３９とカムフォロア３８とのカム機構により行われるようになっている。このように、歯付きローラ３１が歯付きローラホルダ３２の上下の揺動により上方に移動しても、防護部３６が歯付きローラホルダ３２に設けられていることで、歯付きローラ３１と防護部３６との位置関係は維持され、歯付きローラ３１が防護部３６から露出してしまうことがない。
【００３０】
また、歯付きローラホルダ３２の内壁面には、歯付きローラホルダ３２内の搬送方向下流側の空間が広がり、歯付きローラ３１を被記録材の搬送方向に対して平行に位置させることを許容する逃げ部２９が形成されるため、歯付きローラホルダ３２が斜め方向に傾いた状態でも、歯付きローラ３１は容易に正常方向へ復帰することができる。
【００３１】
以下、歯付きローラ３１が平行状態へ復帰する原理を模式的に示す図５を参照しながら説明する。なお、図５では、説明の便宜上、各部の特徴や傾斜角度などを強調して描いている。また、図中の矢印は被記録材の搬送方向を示す。
【００３２】
被記録材の搬送中に、歯付きローラ３１は歯３１１が紙面と垂直に当接した状態から、左右にわずかに傾斜した状態に傾くことがある。この垂直方向の角度の変化（傾斜）を解消しようとして、歯付きローラ３１は、回転しながら歯付きローラホルダ３２内での向きを搬送方向と平行状態［図５、（ａ）］から、搬送方向に対しやや斜めに角度を持った状態へ変化させていく［同、（ｂ）］。一方、歯付きローラホルダ３２は、本来歯付きローラ３１の回転方向を規制する役割を担うが、前記したように歯付きローラホルダ３２の上下方向の揺動を可能に構成したため、歯付きローラホルダ３２を支持するホルダ取付軸３５には若干のガタ（遊び）を有しており、このガタ分だけフレーム２３はホルダ取付軸３５を支点として、若干左右にも揺動する余地がある。このため、上記歯付きローラ３１の方向変化に伴い、搬送方向に対し左右に若干揺動の余地を持つ歯付きローラホルダ３２も、歯付きローラ３１に内側から押されるようにして揺動分だけ斜め方向に傾いていき、傾き限界で停止した状態になる［同、（ｃ）］。ここで、歯付きローラ３１は回転しながら自然に正常方向へ復帰しようとする性質を持つが、歯付きローラホルダ３２は依然として斜めに傾いた状態にあるため、歯付きローラホルダ３２の内壁が障害になり正常方向への復帰が妨げられる。この状態のままで被記録材の搬送を続けると、歯付きローラ３１は円滑に回転できないため、歯１３により、被記録材の表面（印刷面）に微細な凹みや傷を付け、剥れやホジレの原因となり、印刷品質の低下を招くことになる。
【００３３】
このため本願発明では、歯付きローラホルダ３２の内壁面に段部３２１を設け、搬送方向下流側の内壁間の距離が搬送方向上流側の内壁間の距離より長くなるようにしておくことにより、復帰しようとする歯付きローラ３１の搬送方向下流側の部位が、歯付きローラホルダ３２内で段部３２１により広くなったスペース（逃げ部２９）に逃げ込むことを可能にして、歯付きローラ３１が速やかに正常方向に復帰できるようにしたものである[同、（ｄ）]。このように、歯付きローラ３１が正常方向に復帰しやすい状況を作り出すことは、歯１３が紙面に対して傾斜した状態で当接する時間を最小限に留めることになり、被記録材表面の傷やコーティング紙を使用した場合の剥れやホジレを回避することが可能になる。また、本実施態様のように、歯付きローラ３１の回転軸である歯付きローラ取付軸３４として、弾性変形可能な棒バネを用いると、調芯作用によって正常方向への復帰が促進される。
【００３４】
また、他の実施の形態としては、歯付きローラホルダ３２を防護部３６が歯付きローラ３１を覆い囲ってしまう構造として、歯付きローラ３１が完全に見えないような状態にしてしまうものが挙げられる。防護部３６をこのような構造とすることで、歯付きローラ３１に触れることが出来なくなるので、歯付きローラに誤って人の指等が触れて傷つけてしまうことがない。
【００３５】
【発明の効果】
本願発明によれば、歯付きローラから人の指等を防護する構造を有する歯付きローラホルダを備えた歯付きローラ取付装置により、歯付きローラホルダに軸支された歯付きローラに誤って人の指等が触れて傷つけてしまうことを防止することが可能となる。
また、歯付きローラホルダの内壁面に段部を設け、搬送方向下流側の内壁間の距離が搬送方向上流側の内壁間の距離より長くなるようにしておくことにより、復帰しようとする歯付きローラの搬送方向下流側の部位が、歯付きローラホルダ内で段部により広くなったスペース（逃げ部）に逃げ込むことを可能にして、歯付きローラが速やかに正常方向に復帰できるようにしたので、歯付きローラが正常方向に復帰しやすい状況が作り出され、歯付きローラの歯が紙面に対して傾斜した状態で当接する時間を最小限に留めることになり、被記録材表面の傷やコーティング紙を使用した場合の剥れやホジレを回避することが可能になる。
【図面の簡単な説明】
【図１】本願発明に係る歯付きローラ取付装置を備えた記録装置の概略の平面図である。
【図２】本願発明に係る歯付きローラ取付装置を備えた記録装置の概略の側面図である。
【図３】本願発明に係る歯付きローラ取付装置を示した平面図である。
【図４】本願発明に係る歯付きローラのIV−IV線における要部断面図である。
【図５】被記録材搬送時の歯付きローラと歯付きローラホルダの状態を示す模式図である。
【符号の説明】
１    被記録材
２１  被記録材給送トレイ
２９  逃げ部
３１  歯付きローラ
３２  歯付きローラホルダ
３３  歯付きローラ取付装置
３４  歯付きローラ取付軸
３５  ホルダ取付軸
３６  防護部
３７  棒バネ
３８  カムフォロア
３９  カム
５１  キャリッジガイド軸
５２  プラテン
５３  搬送駆動ローラ
５４  搬送従動ローラ
５５  排出駆動ローラ
６１  キャリッジ
６２  記録ヘッド
３１１  歯
３１２  段部
Ｘ    主走査方向
Ｙ    副走査方向
【図１】
0003656540.tif 000002
【図２】
0003656540.tif 000003
【図３】
0003656540.tif 000004
【図４】
0003656540.tif 000005
【図５】
0003656540.tif 000006